(57)【要約】【課題】本発明は、効率よくプラズマディスプレイパネル全体を均一に加熱することが可能なプラズマディスプレイ装置を提供することを目的とする。【解決手段】プラズマディスプレイ装置は、複数の維持電極と複数の走査電極とを含むプラズマディスプレイパネルと、プラズマディスプレイパネルの第１端から引き出された維持電極の第１端に接続され維持電極に電圧を印加する駆動回路と、プラズマディスプレイパネルの第２端から引き出された維持電極の第２端に接続され、電流を維持電極の第２端から流出又は維持電極の第２端に流入させる電流経路を提供する接続回路を含み、前記プラズマディスプレイが非表示状態の時に接続回路を介して維持電極に電流を流すよう構成されることを特徴とする。【選択図】図１
2008102281.tif 000002
【特許請求の範囲】
【請求項１】
複数の維持電極と複数の走査電極とを含むプラズマディスプレイパネルと、
該プラズマディスプレイパネルの第１端から引き出された該維持電極の第１端に接続され該維持電極に電圧を印加する駆動回路と、
該プラズマディスプレイパネルの第２端から引き出された該維持電極の第２端に接続され、電流を該維持電極の該第２端から流出又は該維持電極の該第２端に流入させる電流経路を提供する接続回路
を含み、前記プラズマディスプレイが非表示状態の時に該接続回路を介して該維持電極に電流を流すよう構成されることを特徴とするプラズマディスプレイ装置。
【請求項２】
該接続回路は、該維持電極の該第２端と電源電圧との間に設けられ該維持電極の該第２端と該電源電圧との間の電気的な接続又は切断を制御するスイッチ回路を含むことを特徴とする請求項１記載のプラズマディスプレイ装置。
【請求項３】
該接続回路は、該維持電極の該第２端とグラウンド電位との間に設けられ該維持電極の該第２端と該グラウンド電位との間の電気的な接続又は切断を制御するスイッチ回路を含むことを特徴とする請求項１記載のプラズマディスプレイ装置。
【請求項４】
該接続回路は、該維持電極の奇数番目の行の該第２端と該維持電極の偶数番目の行の該第２端との間に設けられ、該維持電極の奇数番目の行の該第２端と該維持電極の偶数番目の行の該第２端との間の電気的な接続又は切断を制御するスイッチ回路を含むことを特徴とする請求項１記載のプラズマディスプレイ装置。
【請求項５】
プラズマディスプレイ装置が待機状態の時に該接続回路を介して該維持電極に電流を流すよう構成されることを特徴とする請求項１乃至４の何れか一項に記載のプラズマディスプレイ装置。
【請求項６】
プラズマディスプレイ装置を待機状態から駆動状態にする起動動作の期間に該接続回路を介して該維持電極に電流を流すよう構成されることを特徴とする請求項１乃至４の何れか一項に記載のプラズマディスプレイ装置。
【請求項７】
該プラズマディスプレイパネルの温度を検出する温度センサを更に含み、該温度センサにより検出した該プラズマディスプレイパネルの温度が所定値よりも低い状態を検出すると、それに応答して該接続回路を介して該維持電極に電流を流す動作を開始するよう構成されることを特徴とする請求項１乃至６の何れか一項に記載のプラズマディスプレイ装置。
【請求項８】
該温度センサにより検出した該プラズマディスプレイパネルの温度が所定値よりも高くなった状態を検出すると、それに応答して該接続回路を介して該維持電極に電流を流す動作を停止するよう構成されることを特徴とする請求項７に記載のプラズマディスプレイ装置。
【発明の詳細な説明】
【技術分野】
【０００１】
本発明は一般にプラズマディスプレイ装置に関し、詳しくはプラズマディスプレイパネルを加熱する装置を備えたプラズマディスプレイパネルに関する。
【背景技術】
【０００２】
近年、プラズマディスプレイ装置は、視認性に優れた表示パネル（薄型表示デバイス）として注目されており、高精細化および大画面化が進められている。
【０００３】
一般にプラズマディスプレイ装置は走査電極とアドレス電極との間に書込みパルスを印加することにより、走査電極とアドレス電極との間でアドレス放電を行い、放電セルを選択する。そして放電セルを選択した後、走査電極と維持電極との間に、交互に反転する周期的な維持パルスを印加することにより、走査電極と維持電極との間で維持放電を行い、所定の表示を行うものである。
【０００４】
ここで、プラズマディスプレイパネルの温度が低温の場合、走査電極とアドレス電極との間に書込みパルスを印加してもすぐには放電が起きず、放電が遅れて発生するという放電遅れ現象が発生する。この現象により、プラズマディスプレイパネルが低温の場合には、走査電極とアドレス電極との間の書込み放電が不十分となり、放電セルの選択が出来ていない箇所が生じる。その結果、維持パルスを印加しても放電が起きずに消灯したままの状態になる誤動作が発生する。この誤動作は、プラズマディスプレイパネルの温度を上昇させることにより防ぐことが出来る。
【０００５】
プラズマディスプレイパネルを加熱する従来技術としては以下の方法がある。
【０００６】
一つはプラズマディスプレイパネルの背面にヒーターを取り付けることでプラズマディスプレイパネルを加熱する方法である（特許文献１参照）。まず、プラズマディスプレイパネルとシャーシとの間にヒーター板を設ける。このヒーター板は絶縁された板であり、その内部には電熱線と温度検出用の熱伝対を有している。そして、プラズマディスプレイパネルの温度を熱伝対により検出して、この温度が低温になった時に電熱線に通電することで、プラズマディスプレイパネルを加熱する。
【０００７】
もう一つはプラズマディスプレイパネルが非表示状態の時にプラズマディスプレイパネルの電極に表示用の維持パルスのみを放電が生じないような電圧で印加することにより駆動回路を発熱させ、この熱によりプラズマディスプレイパネルを加熱する方法である（特許文献２参照）。
【特許文献１】特開２００４−８７２８９号公報
【特許文献２】特開平１０−２２８２６０号公報
【発明の開示】
【発明が解決しようとする課題】
【０００８】
プラズマディスプレイパネルの温度が低温になると、電圧を印加してから放電するまでの時間が長くなる放電遅れの現象が生じる。この放電遅れの現象を防ぐにはプラズマディスプレイパネルの温度を１０℃程度上昇させればよい。
【０００９】
プラズマディスプレイパネルの温度を上昇させる従来の方法のうちでヒーターを用いる方法の場合、電熱線とシャーシとの短絡を防ぐために絶縁されたヒーター板を設ける必要があり、構造的に大掛かりなものとなってしまう。その結果、製造費用の増加や装置全体の重量の増加等の問題が生じる。また、回路発熱を利用する方法の場合、プラズマディスプレイ装置を駆動するために電力を多く消費してしまい、さらに発熱の効率も高くない。また、発熱する箇所が駆動回路のみとなってしまい、プラズマディスプレイパネル全体を加熱することが出来ず、温度にムラが生じてしまうという問題がある。
【００１０】
以上を鑑みて本発明は、大掛かりな装置を用いることなく、効率よくプラズマディスプレイパネル全体を均一に加熱することが可能なプラズマディスプレイ装置を提供することを目的とする。
【課題を解決するための手段】
【００１１】
プラズマディスプレイ装置は、複数の維持電極と複数の走査電極とを含むプラズマディスプレイパネルと、該プラズマディスプレイパネルの第１端から引き出された該維持電極の第１端に接続され該維持電極に電圧を印加する駆動回路と、該プラズマディスプレイパネルの第２端から引き出された該維持電極の第２端に接続され、電流を該維持電極の該第２端から流出又は該維持電極の該第２端に流入させる電流経路を提供する接続回路を含み、前記プラズマディスプレイが非表示状態の時に該接続回路を介して該維持電極に電流を流すよう構成されることを特徴とする。
【００１２】
通常プラズマディスプレイパネルの維持電極はパネルの端から端までで略１００Ωの抵抗値を有している。この抵抗成分を利用し電極に電流を流すことで電極自体を発熱させ、プラズマディスプレイパネル全体を加熱する。
【発明の効果】
【００１３】
本発明の少なくとも１つの実施例によれば、放電空間に近い位置に配置された維持電極に直流電流を流すことで、効率よくパネルを加熱することが出来る。既存の電極を利用するので特別に電熱線を設置する必要が無く、大掛かりな装置を用いずにプラズマディスプレイパネルを効率よく均一に加熱することが出来る。これにより、維持パルスを印加しても放電が起きずに消灯したままの状態になる誤動作を防止し、安定して表示を行うことが可能となる。
【発明を実施するための最良の形態】
【００１４】
以下、添付の図面を用いて本発明の実施例を詳細に説明する。
【００１５】
図１は、本発明によるプラズマディスプレイ装置の第１の実施例の構成例を示す図である。図１のプラズマディスプレイ装置は、走査電極２、維持電極３、アドレス電極１０、プラズマディスプレイパネル４０、走査電極２を駆動する走査電極駆動回路４１、維持電極３を駆動する維持電極駆動回路４２、アドレス電極１０を駆動するアドレス電極駆動回路４３、各駆動回路を制御する制御回路４４、及び各駆動回路及び制御回路４４に電源電圧を供給する電源４５を含む。
【００１６】
図２はプラズマディスプレイパネル４０の構造を示す分解斜視図である。ガラス基板などの透明な前面側の基板１上には、走査電極２と維持電極３とで対をなすストライプ状の表示電極が複数対形成されている。この走査電極２および維持電極３は、それぞれ透明電極４、およびこの透明電極４に電気的に接続された銀、銅等のバス電極５とから構成されている。また、前記前面側の基板１には、前記複数対の電極群を覆うように誘電体層６が形成され、その誘電体層６上には保護膜７が形成されている。また、前記前面側の基板１に対向配置される背面側の基板８上には、走査電極２及び維持電極３と直行する方向に、絶縁体層９で覆われた複数のストライプ状のアドレス電極１０が形成されている。このアドレス電極１０間の誘電体層９上には、アドレス電極１０と平行にストライプ状の複数の隔壁１１が配置され、この隔壁１１間の側面及び誘電体層９の表面に蛍光体層１２が設けられている。これらの前面側の基板１と背面側の基板８とは、走査電極２及び維持電極３とアドレス電極１０とが直行するように、微小な放電空間を挟んで対向配置されるとともに、周囲が封止され、前記放電空間には、ヘリウム、ネオン、アルゴン、キセノンのうちの一種または混合ガスが放電ガスとして封入されている。
【００１７】
図１を再び参照し、制御回路４４は、外部より入力されるクロック信号、表示データ、垂直同期信号、水平同期信号等に応じてパネル駆動を制御するための制御信号を生成する。具体的には、制御回路４４は表示データを受け取りフレームメモリに格納し、クロックに同期してフレームメモリの表示データに応じたアドレス制御信号を生成する。アドレス制御信号は、アドレス電極駆動回路４３に供給される。また制御回路４４は、垂直同期信号及び水平同期信号に同期して、各駆動回路の動作を制御するための制御信号を走査電極駆動回路４１及び維持電極駆動回路４２に供給する。
【００１８】
アドレス電極駆動回路４３は、制御回路４４からのアドレス制御信号に応じて動作し、表示データに対応したアドレス電圧パルスを各アドレス電極１０に印加する。走査電極駆動回路４１は、制御回路４４からの制御信号に応じて動作し、各走査電極２を独立して駆動する。走査電極駆動回路４１が走査電極２を順次駆動しながら、アドレス電極駆動回路４３がアドレス電圧パルスを各アドレス電極１０に印加することにより、表示するセルを選択して、各セル（画素）の発光・非発光（選択／非選択）を制御する。
【００１９】
走査電極駆動回路４１により走査電極２に維持電圧パルスを印加するとともに、維持電極駆動回路４２により維持電極３に維持電圧パルスを印加する。維持電圧パルスを印加することで、表示セルとして選択されたセルにおいて、走査電極２と維持電極３の間に維持放電を発生させる。
【００２０】
図３はプラズマディスプレイパネルに１つの画像を表示する際の駆動方式を示す模式図であり、アドレス・表示分離方式の一例を示している。プラズマディスプレイパネルの放電は、オン又はオフの２値の状態しかとれないので、発光の回数により各表示セルの明るさの濃淡即ち階調を表現する。
【００２１】
１画像（１フィールド：１／６０ｓｅｃ）は複数のサブフィールドから構成され、この例では１０個のサブフィールド１３〜２２が設けられている。各サブフィールドはリセット期間２３、アドレス期間２４、及び維持期間２５よりなる。リセット期間２３では、それに続くアドレス期間２４の放電を援助する目的でセル内の電荷の制御を行ない、アドレス期間２４では発光させるセルを選択する放電を行なう。続く維持期間２５では繰り返し放電を行ない、選択されたセルを発光させる。ここで、維持期間２５の長さ即ち発光回数を、それぞれのサブフィールドで異ならせる。例えば、１０個のサブフィールドの維持期間２５の長さの比率を、１：２：４：８：〜：５１２に設定する。表示するセルの輝度に応じたサブフィールドの組み合わせを選択して放電させることにより、所望の階調でセルを表示することができる。
【００２２】
図４は、各電極の駆動波形の一例を示す図である。（ａ）〜（ｃ）はそれぞれリセット期間２３から維持期間２５において、維持電極３、走査電極２、アドレス電極１０の各電極に印加する駆動波形を示している。（ａ）は維持電極３、（ｂ）は走査電極２に印加される電圧波形、（ｃ）はアドレス電極１０に印加される電圧波形である。
【００２３】
まず、（ａ）及び（ｂ）の維持電極３及び走査電極２にはリセット期間２３において全セルに電荷を形成する維持電極電圧２７及び走査電極書き込み鈍波２６が印加される。さらに続いてセル内に形成された電荷を必要量残して消去する維持電極補償電圧２９と走査電極補償鈍波２８とが印加される。
【００２４】
次のアドレス期間２４において印加される電圧波形は行方向の表示するセルを決める放電を行なう行の走査パルス３０と、本放電により壁電荷を形成するための維持電圧３１である。この走査パルス３０は行毎にタイミングをずらして印加される。
【００２５】
続いて維持期間２５において、第1の維持パルス３２、３３、繰り返し維持パルス３４、３５、３６、３７が印加される。本発明のＰＤＰはＡＣ型のＰＤＰであるため、維持パルス３４、３５、３６、３７のような逆極性の放電パルス一組を、便宜上、一回のサステインパルスとみなす。最後に消去パルス３８、３９が印加される。
【００２６】
以下に、図１のプラズマディスプレイ装置における加熱手段について説明する。
【００２７】
維持電極３はプラズマディスプレイパネル４０の両端に引出されており、一端は維持電極駆動回路４２に接続され、他端は表示用電圧とは異なる電圧を印加する電源４５ａに結合される。この電源４５ａと維持電極３との間にスイッチ４６を設け、電源４５ａと維持電極３との間の電気的な接続又は切断を制御可能なように構成する。このように、プラズマディスプレイパネル４０の一端から引き出された維持電極３の一端に接続され、電流を維持電極３の該一端に流入させる電流経路を提供する接続回路（スイッチ４６）を設けることで、この接続回路を介して維持電極３に電流を流すことができる。
【００２８】
スイッチ４６のＯＮ／ＯＦＦ（導通／非導通）は、制御回路４４により制御可能なように構成してよい。スイッチ４６をＯＮにすることで、電源４５ａから維持電極３の一端に電源電圧を印加するとともに、維持電極駆動回路４２において維持電極３の他端をグラウンド電位側に電気的に接続する。これにより維持電極３の両端に電位差を発生させて直流電流を流し、維持電極３の電気的抵抗により発熱させる。この熱を用いてプラズマディスプレイパネル４０を加熱する。
【００２９】
プラズマディスプレイパネル４０において放電は遅れを有している。さらにこの放電遅れは低温時ほど顕著になる傾向にある。この温度特性の原因としては放電ガスの活性化と保護膜７の材料であるＭｇＯの二次電子放出特性が考えられる。本実施例における発熱体の維持電極３は保護膜７や放電ガスが充填されている放電空間の極近傍に配置されているため、低温時の放電遅れの原因と考えられる保護膜７と放電ガスを効果的に加熱することができる。
【００３０】
図５は、加熱のため維持電極３に電流を流す期間を示す図である。図５（ａ）に示すように、プラズマディスプレイ装置が待機状態にある時に、表示用電圧とは異なる電圧を印加する電源４５ａに接続するスイッチ４６をＯＮにすることで維持電極３に電流を流し、プラズマディスプレイパネル４０を加熱する。画面が表示されている期間はスイッチ４６をＯＦＦにして電源４５ａとの接続を解除する。
【００３１】
或いは図５（ｂ）に示すように、スイッチオン操作に応答して待機状態からプラズマディスプレイ装置を起動させる起動動作時に、表示用電圧とは異なる電圧を印加する電源４５ａに接続するスイッチ４６をＯＮにすることで維持電極３に電流を流し、プラズマディスプレイパネル４０を加熱する。画面が表示されている期間はスイッチ４６をＯＦＦにして電源４５ａとの接続を解除する。
【００３２】
なお維持電極３に表示用電圧とは異なる電圧を印加する電源４５ａは、走査電極駆動回路４１内に設けてもよい。また電源４５ａに維持電極３の全てのラインを接続する必要はなく、数ラインごとに電源４５ａに接続する構成としてもよい。
【００３３】
図６は、本発明によるプラズマディスプレイ装置の第２の実施例の構成例を示す図である。図６において、図１に示すものと同一の構成要素は同一の番号で参照し、その説明は省略する。
【００３４】
図６に示す構成においては、維持電極３がプラズマディスプレイパネル４０の両端に引出され、一端は維持電極駆動回路４２に接続され、他端はグラウンド電位に結合される。グラウンド電位と維持電極３との間にスイッチ４７を設け、グラウンド電位と維持電極３との間の電気的な接続又は切断を制御可能なように構成する。このように、プラズマディスプレイパネル４０の一端から引き出された維持電極３の一端に接続され、電流を維持電極３の該一端から流出させる電流経路を提供する接続回路（スイッチ４７）を設けることで、この接続回路を介して維持電極３に電流を流すことができる。
【００３５】
スイッチ４７のＯＮ／ＯＦＦ（導通／非導通）は、制御回路４４により制御可能なように構成してよい。維持電極３の一端を維持電極駆動回路４２において電源側（即ち放電用電圧を印加する電源４５側）に電気的に接続し、且つスイッチ４７をＯＮにすることで、維持電極３の一端に電源電圧を印加するとともに、他端をグラウンド電位側に電気的に接続する。これにより維持電極３の両端に電位差を発生させて直流電流を流し、維持電極３の電気的抵抗により発熱させる。この熱を用いてプラズマディスプレイパネル４０を加熱する。
【００３６】
加熱のため維持電極３に電流を流す期間は、前述の第１の実施例の場合と同じでよい。画面が表示されている期間においては、スイッチ４７をＯＦＦにしてグラウンド電位との電気的接続を解除する。
【００３７】
なお維持電極３をグラウンド電位に電気的に接続するスイッチ４７は、走査電極駆動回路４１内に設けてもよい。またグラウンド電位に維持電極３の全てのラインを接続する必要はなく、数ラインごとに電源４５ａに接続する構成としてもよい。
【００３８】
図７は、本発明によるプラズマディスプレイ装置の第３の実施例の構成例を示す図である。図７において、図１に示すものと同一の構成要素は同一の番号で参照し、その説明は省略する。
【００３９】
図７の構成において、維持電極３はプラズマディスプレイパネル４０の両端に引出され、その一端が維持電極駆動回路４２ａに接続される。維持電極３の他端は、奇数番目の電極（奇数番目の行の維持電極）３ａ同士を１つに纏めるように結合されるとともに、偶数番目の電極（偶数番目の行の維持電極）３ｂ同士を１つに纏めるように結合される。奇数番目の電極３ａを纏めた一端と偶数番目の電極３ｂを纏めた一端との間には、スイッチ４８を設け、奇数番目の電極３ａと偶数番目の電極３ｂとの間の電気的な接続又は切断を制御可能なように構成する。このように、プラズマディスプレイパネル４０の一端から引き出された維持電極３の一端に接続され、電流を維持電極３の該一端に流入又は流出させる電流経路を提供する接続回路（スイッチ４８）を設けることで、この接続回路を介して維持電極３に電流を流すことができる。
【００４０】
スイッチ４８のＯＮ／ＯＦＦ（導通／非導通）は、制御回路４４により制御可能なように構成してよい。維持電極駆動回路４２ａにより奇数番目の維持電極３ａと偶数番目の維持電極３ｂとに異なる２つの電圧を印加し、且つスイッチ４８をＯＮにする。これにより２つの電圧間で維持電極３に直流電流を流し、維持電極３の電気的抵抗により発熱させる。この熱を用いてプラズマディスプレイパネル４０を加熱する。
【００４１】
この構成は、例えばＡＬＩＳ（Alternate Lighting of Surfaces）方式のプラズマディスプレイ装置に適している。ＡＬＩＳ方式は、低コスト化及び高精細化のために全ての電極の隙間を表示ラインとして活用する方式である。全ての表示ラインを同時に点灯させることは出来ないので、１フレームを２つのフィールドに分割し、第１フィールドでは奇数ラインの表示を行い、第２フィールドでは偶数ラインの表示を実施する。このような表示を実現するために、ＡＬＩＳ方式で用いる維持電極駆動回路では、奇数番目の維持電極３ａと偶数番目の維持電極３ｂとに別々の電圧を印加可能なように構成されている。この構成を利用して、上記説明のように、奇数番目の維持電極３ａと偶数番目の維持電極３ｂとに異なる２つの電圧を印加し且つスイッチ４８をＯＮにすることで、維持電極３を発熱させることができる。
【００４２】
加熱のため維持電極３に電流を流す期間は、前述の第１の実施例の場合と同じでよい。画面が表示されている期間においては、スイッチ４８をＯＦＦにして奇数番目の維持電極３ａと偶数番目の維持電極３ｂとを電気的に分離する。
【００４３】
なお奇数番目の維持電極３ａと偶数番目の維持電極３ｂとを電気的に接続するスイッチ４８は、走査電極駆動回路４１内に設けてもよい。ま維持電極３の全てのラインについて偶数番目と奇数番目とを接続する必要はなく、数ラインごとに偶数番目と奇数番目とを接続する構成としてもよい。
【００４４】
図８は、本発明によるプラズマディスプレイ装置の第１の実施例の変形例を示す図である。図７において、図１に示すものと同一の構成要素は同一の番号で参照し、その説明は省略する。
【００４５】
図８に示す構成では、図１に示す構成に加え温度センサ５０を設けてある。温度センサ５０は制御回路４４に電気的に接続され、プラズマディスプレイパネル４０の温度を測定可能な位置に配置されている。温度センサ５０から温度測定結果を示す信号を受け取ることにより、制御回路４４は、プラズマディスプレイパネル４０の測定温度に応じたスイッチ４６のオン・オフ制御を行うことができる。
【００４６】
図９は、本発明によるプラズマディスプレイ装置の第２の実施例の変形例を示す図である。図９において、図６に示すものと同一の構成要素は同一の番号で参照し、その説明は省略する。図９に示す構成では、図６に示す構成に加え温度センサ５０を設けてある。温度センサ５０の働きは、図８で説明した構成と同様である。
【００４７】
図１０は、本発明によるプラズマディスプレイ装置の第３の実施例の変形例を示す図である。図１０において、図７に示すものと同一の構成要素は同一の番号で参照し、その説明は省略する。図１０に示す構成では、図７に示す構成に加え温度センサ５０を設けてある。温度センサ５０の働きは、図８で説明した構成と同様である。
【００４８】
図１１は、図８乃至図１０に示す温度センサ５０を設けたプラズマディスプレイ装置の加熱動作を説明する図である。
【００４９】
プラズマディスプレイ装置の待機状態において、温度センサ５０により検出するプラズマディスプレイパネル４０の温度が第１の所定の温度（動作開始温度）以下の状態になると、これに応答して制御回路４４が所定の制御動作を実行し、前述の各実施例で説明したように維持電極３に電流を流してプラズマディスプレイパネル４０を加熱する。加熱によりプラズマディスプレイパネル４０の温度が上昇し、第２の所定の温度（動作終了温度）以上の状態になると、これに応答して制御回路４４が所定の制御動作を実行し、維持電極３に電流を流すのを止めてプラズマディスプレイパネル４０の加熱を停止する。以上の動作により、プラズマディスプレイパネル４０の温度を略第１の所定の温度から第２の所定の温度の間の範囲内に設定し、プラズマディスプレイパネル４０が過熱状態となるのを防ぐことができる。
【００５０】
以上、本発明を実施例に基づいて説明したが、本発明は上記実施例に限定されるものではなく、特許請求の範囲に記載の範囲内で様々な変形が可能である。
【図面の簡単な説明】
【００５１】
【図１】本発明によるプラズマディスプレイ装置の第１の実施例の構成例を示す図である。
【図２】プラズマディスプレイパネルの構造を示す分解斜視図である。
【図３】プラズマディスプレイパネルに１つの画像を表示する際の駆動方式を示す模式図である。
【図４】各電極の駆動波形の一例を示す図である。
【図５】加熱のため維持電極に電流を流す期間を示す図である。
【図６】本発明によるプラズマディスプレイ装置の第２の実施例の構成例を示す図である。
【図７】本発明によるプラズマディスプレイ装置の第３の実施例の構成例を示す図である。
【図８】本発明によるプラズマディスプレイ装置の第１の実施例の変形例を示す図である。
【図９】本発明によるプラズマディスプレイ装置の第２の実施例の変形例を示す図である。
【図１０】本発明によるプラズマディスプレイ装置の第３の実施例の変形例を示す図である。
【図１１】温度センサを設けたプラズマディスプレイ装置の加熱動作を説明する図である。
【符号の説明】
【００５２】
１・・・前面基板
２・・・走査電極
３・・・維持電極
３ａ・・・維持電極の奇数電極
３ｂ・・・維持電極の偶数電極
４・・・透明電極
５・・・母線
６・・・誘電体層
７・・・保護膜
８・・・背面基板
９・・・絶縁体層
１０・・・アドレス電極
１１・・・隔壁
１２・・・蛍光体
１３〜２２・・・サブフィールド
２３・・・リセット期間
２４・・・アドレス期間
２５・・・維持期間
２６・・・走査電極書込み鈍波
２７・・・維持電極電圧
２８・・・走査電極補償鈍波
２９・・・維持電極補償電圧
３０・・・走査パルス
３１・・・維持電圧
３２・・・維持電極維持パルス
３３・・・走査電極維持パルス
３４・・・維持電極繰返し維持パルス
３５・・・維持電極繰返し維持パルス
３６・・・走査電極繰返し維持パルス
３７・・・走査電極繰返し維持パルス
３８・・・維持電極消去パルス
３９・・・走査電極消去パルス
４０・・・プラズマディスプレイパネル
４１・・・走査電極駆動回路
４２・・・維持電極駆動回路
４２ａ・・・維持電極駆動回路
４３・・・アドレス電極駆動回路
４４・・・制御回路
４５・・・電源
４５ａ・・・電源
４６・・・電源接続スイッチ
４７・・・接地スイッチ
４８・・・短絡スイッチ
５０・・・温度センサ
【図１】
2008102281.tif 000003
【図２】
2008102281.tif 000004
【図３】
2008102281.tif 000005
【図４】
2008102281.tif 000006
【図５】
2008102281.tif 000007
【図６】
2008102281.tif 000008
【図７】
2008102281.tif 000009
【図８】
2008102281.tif 000010
【図９】
2008102281.tif 000011
【図１０】
2008102281.tif 000012
【図１１】
2008102281.tif 000013